(57)【要約】【課題】食器類の洗浄力を向上させて洗い残しを無くすと共に、洗浄に使用する水量の低減を可能にする食器洗浄機を提供する。【解決手段】食器類を収納する洗浄槽６と、洗浄槽６の中に配設された洗浄ノズル１０と、洗浄槽６に貯留された水を吸引して加圧し、洗浄ノズル１０の噴射口１０ａから噴射させる洗浄ポンプ９と、洗浄ポンプ９の回転数を制御する制御部１２とを備え、制御部１２は、予め設定された低回転用制御信号及び高回転用制御信号を交互に洗浄ポンプ９に出力して回転数を制御し、洗浄ノズル１０から噴射される水量を変化させ、この噴射水量の変化を洗浄ノズル１０の１回転毎に行うようにした。【選択図】図１
2007167290.tif 000002
【特許請求の範囲】
【請求項１】
食器類を収納する洗浄槽と、
該洗浄槽の中に配設され、噴射口を有する洗浄ノズルと、
前記洗浄槽に貯留された水を吸引して加圧し、前記洗浄ノズルの噴射口から噴射させる洗浄ポンプと、
該洗浄ポンプの回転数を制御する制御部とを備え、
前記制御部は、予め設定された低回転用制御信号及び高回転用制御信号を交互に前記洗浄ポンプに出力して回転数を制御し、前記洗浄ノズルから噴射される水量を変化させ、この噴射水量の変化を前記洗浄ノズルの所定回転毎に行うことを特徴とする食器洗浄機。
【請求項２】
前記高回転用制御信号と交互に出力される低回転用制御信号は、その高回転用制御信号より出力時間が長く設定されていることを特徴とする請求項１記載の食器洗浄機。
【請求項３】
前記制御部は、低回転用制御信号或いは高回転用制御信号の出力時間を変化させながら、前記洗浄ポンプの回転数を制御することを特徴とする請求項１記載の食器洗浄機。
【請求項４】
前記制御部は、予め低回転用制御信号に対して複数の出力時間が設定され、この複数の出力時間を切り替えながら低回転用制御信号における前記洗浄ポンプの制御を行うことを特徴とする請求項３記載の食器洗浄機。
【請求項５】
前記制御部は、予め高回転用制御信号に対して複数の出力時間が設定され、この複数の出力時間を切り替えながら高回転用制御信号における前記洗浄ポンプの制御を行うことを特徴とする請求項３記載の食器洗浄機。
【請求項６】
前記制御部は、予め低回転用制御信号及び高回転制御信号の組合せで構成される周期の異なる複数の制御信号が設定され、この周期の異なる複数の制御信号を、それぞれ設定された運転時間の間、前記洗浄ポンプに出力して回転数を制御することを特徴とする請求項１記載の食器洗浄機。
【発明の詳細な説明】
【技術分野】
【０００１】
本発明は、洗浄ポンプで加圧された洗浄水を洗浄ノズルから噴射し、洗浄槽内に配置された食器類の洗浄を行う食器洗浄機に関するものである。
【背景技術】
【０００２】
従来の食器洗浄機として、ノズルから間欠的に洗浄水を噴射して、洗浄槽内の食器類を洗浄するものがある（例えば、特許文献１参照）。
【０００３】
【特許文献１】特開２００２−１７６４６号公報（第１頁、図１）
【発明の開示】
【発明が解決しようとする課題】
【０００４】
前述した従来の食器洗浄機は、ノズルから間欠的に洗浄水を噴射するため、食器類に付着した汚れに対し洗浄水が大きな衝撃力を発揮して洗浄力を向上させるものであるが、このノズルは、噴射される洗浄水の反力で回転するため、洗浄水の噴射停止後もある程度惰性で回転を続けて停止し、再び洗浄水の噴射によって反力で回転をするという動作になるため、間欠噴射する洗浄水が当たらない部分が発生してしまう。この間欠噴射の洗浄水が当たらない食器に付着した汚れに対しては、何ら洗浄力を発揮することはなく食器に洗い残しが発生するということがあった。
【０００５】
本発明は、前記のような課題を解決するためになされたもので、食器類の洗浄力を向上させて洗い残しを無くすと共に、洗浄に使用する水量の低減を可能にする食器洗浄機を提供することを目的とする。
【課題を解決するための手段】
【０００６】
本発明に係る食器洗浄機は、食器類を収納する洗浄槽と、洗浄槽の中に配設され、噴射口を有する洗浄ノズルと、洗浄槽に貯留された水を吸引して加圧し、洗浄ノズルの噴射口から噴射させる洗浄ポンプと、洗浄ポンプの回転数を制御する制御部とを備え、この制御部は、予め設定された低回転用制御信号及び高回転用制御信号を交互に洗浄ポンプに出力して回転数を制御し、洗浄ノズルから噴射される水量を変化させ、この噴射水量の変化を洗浄ノズルの所定回転毎に行うようにしたものである。
【発明の効果】
【０００７】
本発明においては、予め設定された低回転用制御信号及び高回転用制御信号を交互に洗浄ポンプに出力して回転数を制御し、洗浄ノズルから噴射される水量を変化させ、この噴射水量の変化を洗浄ノズルの所定回転毎に行うようにしたので、洗浄槽内の食器類を満遍なく洗浄することが可能になり、また、低回転用制御信号及び高回転用制御信号により洗浄ポンプの平均回転数を従来と比べ低くすることができ、このため、洗浄に必要な水量を少なく抑えることができる。
【発明を実施するための最良の形態】
【０００８】
実施の形態１．
図１は本発明の実施の形態１に係る食器洗浄機を示す概略構成図、図２は洗浄ポンプ運転時の制御信号を示す波形図である。
食器洗浄機の本体１には、食器類の洗浄時及びすすぎ時に使用する水４を貯留するためのタンク２、食器類を載せるための下かご１６及び上かご１７が配置された洗浄槽６、給湯ポンプ７、モータ１９とケーシング部１１（羽根内蔵）とからなる洗浄ポンプ９、洗浄ポンプ９に回転自在に取り付けられた洗浄ノズル１０、排水ポンプ１４、及び前述した各ポンプの運転を制御する制御部１２が配設されている。前記のタンク２には、水道水を引き込んで内部に注水するための注水口３、及び注水された水４を加熱するためのヒータ５が設けられている。また、洗浄槽６と洗浄ポンプ９とを結ぶ管路の上流側に、洗浄水或いはすすぎ水に含まれる残菜を集めるフィルタ１８が着脱可能に設置されている。
【０００９】
ヒータ５によって暖められたタンク２内の水４は、給湯ポンプ７により吸引され、洗浄時やすすぎ時に必要な分量だけ給湯口８から洗浄槽６内に供給される。洗浄槽６内の水４は、洗浄ポンプ９により吸引されて加圧され、洗浄ノズル１０に設けられた複数の噴射口１０ａから噴射される。この洗浄ノズル１０は、水噴射時、その反力によって一方向に回転するようになっている。洗浄槽６内の水４は、洗浄或いはすすぎ終了後、排水ポンプ１４によって吸引され、排水口１５から外部へ排出される。
【００１０】
前述した制御部１２は、洗浄ポンプ９を運転するとき、例えば図２に示すように、電圧値の異なる制御信号Ｖ、即ち低回転用制御信号Ｖｂと高回転用制御信号Ｖｐとを交互にモータ１９に出力して回転数を制御する。この高回転用制御信号Ｖｐは、モータ１９を高回転で動作させる電圧値であり、低回転用制御信号Ｖｂは、モータ１９を低回転で動作させる電圧値であり、Ｖｐ＞Ｖｂの関係になっている。また、高回転用制御信号Ｖｐと低回転用制御信号Ｖｂの出力時間が設定されており、高回転用制御信号Ｖｐの出力時間（高回転運転時間）をＴｐ、低回転用制御信号Ｖｂの出力時間（低回転運転時間）をＴｂとした場合、Ｔｐ＜Ｔｂの関係となっている。これらＴｐとＴｂの和を制御信号Ｖの周期Ｔとし、この周期Ｔの期間に洗浄ノズル１０が例えば１回転するように設定されている。なお、低回転制御用信号Ｖｐと高回転用制御信号Ｖｐとから構成される制御信号Ｖの周期Ｔは、モータ１９の制御電圧Ｖの変化に対する回転数変化の追従性を考慮して、１０Ｈｚ以下とすることが望ましい。
【００１１】
次に、洗浄ポンプ運転時の動作について説明する。
制御部１２から図２に示す波形の制御信号Ｖが出力されると、洗浄ポンプ９のモータ１９は、高回転用制御信号Ｖｐの入力時に高回転し、低回転用制御信号Ｖｂの入力時に低回転し、これを繰り返し行う。モータ１９の高回転時には、洗浄槽６内の暖かい水４が多量に吸引されて洗浄ノズル１０に送出され、低回転時には、高回転時よりも比較的少ない水量が吸引されて洗浄ノズル１０に送出される。一方、洗浄ノズル１０は、流量の多い水４が流入されたとき、その圧力によって多量の水４を噴射し、その噴射量の反力によってほぼ高回転運転時間Ｔｐの間一方向に回転し、比較的水量の少ない水４が流入されたときは、その圧力に応じた水量を噴射し、その噴射量の反力によってほぼ低回転運転時間Ｔｂの間前記と同じ方向に回転し、これを洗浄ポンプ９のモータ１９の回転数に基づいて繰り返し行う。
【００１２】
以上のように実施の形態１によれば、洗浄ポンプ９のモータ１９の高回転時に洗浄ノズル１０から流量の多い水４を噴射させ、モータ１９の低回転時に比較的流量の少ない水４を噴射させ、これを洗浄ノズル１０が１回転する毎に行うようにしたので、常に洗浄ノズル１０から洗浄水の噴射が行われることになり、モータ１９の回転数の低い場合でも食器類に対する洗浄力を確保でき、さらに、モータ１９の高回転時にはより強力な洗浄力を得ることができるため、間欠洗浄する従来と比べ、洗浄槽６内の食器類に対する洗浄力を向上させることができる。
また、低回転用制御信号Ｖｂと高回転用制御信号Ｖｐの交互の入力によるモータ１９の低回転運転時間Ｔｂと高回転運転運転時間Ｔｐの関係をＴｂ＞Ｔｐとなるようにしたので、洗浄ポンプ９のモータ１９の平均回転数を低くすることができ、このため、洗浄に必要な水量を低減することが可能になり、モータ１９にかかる負荷も軽減でき、洗浄ポンプ９と共に長寿命化を図ることが可能になる。
【００１３】
なお、実施の形態１では、低回転用制御信号Ｖｂと高回転用制御信号Ｖｐとから構成される制御信号Ｖの周期Ｔを洗浄ノズル１０が１回転する時間として説明したが、これに限定されるものではなく、例えば、洗浄ノズル１０が１回転する毎に制御信号Ｖの１周期が２回繰り返されるように設定してもよく、同様の効果が得られる。
【００１４】
実施の形態２．
実施の形態１では、洗浄ポンプ９のモータ１９の高回転時に洗浄ノズル１０から流量の多い水４を噴射させ、モータ１９の低回転時に流量の抑えられた水４を噴射させ、これを洗浄ノズル１０が１回転する毎に行うようにして、洗浄力の向上と使用水量の低減を図るようにしたものであるが、実施の形態２は、さらに洗浄力を向上させるようにしたものであり、以下、図３及び図４を用いて説明する。
図３は実施の形態２の食器洗浄機における洗浄ポンプ運転用の制御信号の説明図、図４は図３に示す波形を組み合わせてなる制御信号の波形図である。なお、本実施の形態の食器洗浄機の構成は、図１で説明した実施の形態１と同じであるため、図１を用いて説明する。
【００１５】
実施の形態２の食器洗浄機は、制御部１２に、出力時間Ｔｐの高回転用制御信号Ｖｐと出力時間Ｔｂ１の低回転用制御信号Ｖｂとから構成される波形が設定１として、また、出力時間Ｔｐの高回転用制御信号Ｖｐと出力時間Ｔｂ２の低回転用制御信号Ｖｂとから構成される波形が設定２として、さらに、出力時間Ｔｐの高回転用制御信号Ｖｐと出力時間Ｔｂ３の低回転用制御信号Ｖｂとから構成される波形が設定３としてそれぞれ設定されている。設定１〜３の高回転用制御信号Ｖｐの出力時間Ｔｐは同一であり、低回転用制御信号Ｖｂの各出力時間Ｔｂ１、Ｔｂ２、Ｔｂ３は異なっていて、Ｔｂ１＜Ｔｂ２＜Ｔｂ３の関係となっている。
【００１６】
次に、洗浄ポンプ運転時の動作について図４を参照しながら説明する。
制御部１２は、洗浄ポンプ９を運転するとき、図４に示すように、まず、設定１の波形を洗浄ポンプ９のモータ１９に出力し、続いて、設定２の波形、設定３の波形を順次に出力し、再び設定１の波形から順次に設定３の波形を出力し、これを繰り返し行う。この制御信号Ｖにおいては、高回転用制御信号Ｖｐの出力時間Ｔｐが一定で、低回転用制御信号Ｖｂの出力時間がＴｂ１、Ｔｂ２、Ｔｂ３と変化しているため、モータ１９の高回転の開始タイミングが変化し、これに伴って低回転の開始タイミングも変化していく。つまり、洗浄槽６内で回転する洗浄ノズル１０から流量の多い水４が噴射される位置が変化していくことになる。
【００１７】
以上説明したように、高回転用制御信号Ｖｐの出力時間Ｔｐを一定とし、低回転用制御信号Ｖｂの出力時間をＴｂ１、Ｔｂ２及びＴｂ３と変化させるようにしたので、回転する洗浄ノズル１０から流量の多い水４と比較的流量の少ない水４の噴射する位置が変化するようになり、このため、実施の形態１で説明した効果に加え、洗浄槽６内の食器類の設置位置に関わらず満遍なく洗浄することが可能になり、高い洗浄力を得ることができる。
【００１８】
なお、実施の形態２では、出力時間Ｔｐが同一の高回転用制御信号Ｖｐと出力時間Ｔｂの異なる低回転用制御信号Ｖｂとから構成される設定１、設定２及び設定３の波形を順次に繰り返し出力するようにしたが、これら設定１、設定２及び設定３の波形をランダムに出力するようにしても良い。また、実施の形態２では、低回転用制御信号Ｖｂの出力時間Ｔｂを３設定として説明したが、特に３設定に限定されるものではなく、その出力時間Ｔｂを複数備えていれば同様の効果があることは明白である。
【００１９】
また、高回転用制御信号Ｖｐの出力時間Ｔｐを一定とし、低回転用制御信号Ｖｂの出力時間Ｔｂを変化させたが、低回転用制御信号Ｖｂの出力時間Ｔｂを一定とし、高回転用制御信号Ｖｐの出力時間Ｔｐを変化させるようにしてもよく、同様の効果が得られる。
【００２０】
実施の形態３．
流量の多い水４と比較的流量の少ない水４の噴射タイミングがずれるように、高回転用制御信号Ｖｐの出力時間Ｔｐを一定とし、低回転用制御信号Ｖｂの出力時間Ｔｂを変化させたが、本実施の形態は、洗浄槽６内で回転する洗浄ノズル１０から流量の多い水４が噴射される位置を変化させる別の制御についての説明をするものであり、以下、図５を用いて説明する。
図５は実施の形態３の食器洗浄機における洗浄ポンプの動作を説明するための図である。なお、本実施の形態の食器洗浄機の構成は、図１で説明した実施の形態１と同じであるため、図１を用いて説明する。
【００２１】
実施の形態３の食器洗浄機に設けられた制御部１２には、例えば、制御信号Ｖの設定１及び設定２と、設定１に対応付けられた洗浄ポンプ９のモータ１９の運転時間Ｘ１及びＸ１’と、設定２に対応付けられた洗浄ポンプ９のモータ１９の運転時間Ｘ２及びＸ２’とが設定されている。設定１は、図３に示すように、出力時間をＴｐとする高回転用制御信号Ｖｐと出力時間をＴｂ１とする低回転用制御信号Ｖｂとから構成される波形であり、また、設定２は、出力時間をＴｐとする高回転用制御信号Ｖｐと出力時間をＴｂ２とする低回転用制御信号Ｖｂとから構成される波形である。
【００２２】
次に、洗浄ポンプ運転時の動作について図５を参照しながら説明する。
制御部１２は、洗浄ポンプ９を運転するとき、まず、運転時間Ｘ１の間、モータ１９に制御信号Ｖの設定１の波形を繰り返し出力し、続いて、運転時間Ｘ２の間、制御信号Ｖの設定２の波形を繰り返し出力する。そして、運転時間Ｘ２経過後に、再び設定１の波形を出力し、これを運転時間Ｘ１’経過するまで繰り返す。その後、運転時間Ｘ２’の間、設定２の波形を繰り返し出力する。この制御信号Ｖの出力により、洗浄槽６内で回転する洗浄ノズル１０からの流量の多い水４と比較的流量の少ない水４の噴射位置が変化していくことになる。
【００２３】
以上のように実施の形態３によれば、制御電圧Ｖの設定１、２の各波形を、それぞれ異なる運転時間の間、洗浄ポンプ９のモータ１９に出力して、そのモータ１９の回転数を変化させるようにしたので、流量の多い水４と比較的流量の少ない水４の噴射位置が変化することになり、このため、実施の形態１で説明した効果に加え、洗浄槽６内の食器類の設置位置に関わらず満遍なく洗浄することが可能になり、高い洗浄力を得ることができる。
【００２４】
なお、前述した各実施の形態では、タンク２に貯留した水４をタンク２内のヒータ５で加熱し、洗浄及びすすぎに必要な分量だけ洗浄槽６に供給する構成としたが、これに限定されるものではなく、例えばタンク２の設置はなく直接洗浄槽６内に水４を給水し、洗浄槽６内に設置したヒータ５で加熱しながら、洗浄やすすぎを行う構成でも良い。
【図面の簡単な説明】
【００２５】
【図１】本発明の実施の形態１に係る食器洗浄機を示す概略構成図である。
【図２】洗浄ポンプ運転時の制御信号を示す波形図である。
【図３】実施の形態２の食器洗浄機における洗浄ポンプ運転用の制御信号の説明図である。
【図４】図３に示す波形を組み合わせてなる制御信号の波形図である。
【図５】実施の形態３の食器洗浄機における洗浄ポンプの動作を説明するための図である。
【符号の説明】
【００２６】
１  食器洗浄機の本体、２  タンク、５  ヒータ、６  洗浄槽、７  給湯ポンプ、９  洗浄ポンプ、１０  洗浄ノズル、１１  ケーシング部、１２  制御部、１４  排水ポンプ、１９  モータ。
【図１】
2007167290.tif 000003
【図２】
2007167290.tif 000004
【図３】
2007167290.tif 000005
【図４】
2007167290.tif 000006
【図５】
2007167290.tif 000007